(57)【要約】【課題】薄型、軽量であり、かつ吸収・拡散能力などの吸収性能に優れた吸収性物品を提供する。【解決手段】吸収性物品は、長手方向に沿って前部域、後部域、及び、該前部域と該後部域の間の排尿域である中央部域を含み、吸収層は、厚さ方向でトップシート側の第１吸収体と、バックシート側の第２吸収体とからなる２層構造を有し、第１吸収体は、平面視で中央部域に位置し、トウからなる繊維集合体とその内部に固着担持された高吸収性ポリマーと、を有し、第２吸収体は、平面視で前部域から後部域に至って位置し、トウからなる繊維集合体とその内部に固着担持された高吸収性ポリマーと、を有し、第１吸収体は、長手方向に第１吸収体の略全長にわたる第１のスリットを少なくとも１本備え、第１吸収体は、第２吸収体よりも密度が高く、第１吸収体と第２吸収体との間であって、第１吸収体と略同一の寸法の親水性不織布からなる液拡散性シートと、を有する。【選択図】図２
2020120710.tif 000002
【特許請求の範囲】
【請求項１】
液透過性のトップシートと、液不透過性のバックシートと、前記トップシートと前記バックシートの間に吸収層を設けた吸収性物品であって、
前記吸収性物品は、長手方向に沿って前部域、後部域、及び、該前部域と該後部域の間の排尿域である中央部域を含み、
前記吸収層は、厚さ方向で前記トップシート側の第１吸収体と、前記バックシート側の第２吸収体とからなる２層構造を有し、
前記第１吸収体は、平面視で前記中央部域に位置し、トウからなる繊維集合体とその内部に固着担持された高吸収性ポリマーと、を有し、
前記第２吸収体は、平面視で前記前部域から前記後部域に至って位置し、トウからなる繊維集合体とその内部に固着担持された高吸収性ポリマーと、を有し、
前記第１吸収体は、長手方向に前記第１吸収体の略全長にわたる第１のスリットを少なくとも１本備え、
前記第１吸収体は、前記第２吸収体よりも密度が高く、
前記第１吸収体と前記第２吸収体との間に、第１吸収体と略同一の寸法の親水性不織布からなる液拡散性シートと、を有することを特徴とする、吸収性物品。
【請求項２】
前記第１吸収体において、トウからなる繊維集合体の坪量は、２０ｇ／ｍ２以上１００ｇ／ｍ２以下であり、高吸収性ポリマーの坪量は、６０ｇ／ｍ２以上５００ｇ／ｍ２以下であり、前記トウからなる繊維集合体の坪量に対して、０．６倍以上５．０倍以下である、請求項１に記載の吸収性物品。
【請求項３】
前記第２吸収体において、トウからなる繊維集合体の坪量は、２０ｇ／ｍ２以上１００ｇ／ｍ２以下であり、高吸収性ポリマーの坪量は、６０ｇ／ｍ２以上５００ｇ／ｍ２以下であり、前記トウからなる繊維集合体の坪量に対して、０．６倍以上５．０倍以下である、請求項１又は２に記載の吸収性物品。
【請求項４】
前記第１吸収体及び前記第２吸収体のうちの少なくともいずれか一方において、高吸収性ポリマーの、トウからなる繊維集合体への担持率は、７０％以上である、請求項１〜３のうちのいずれか１項に記載の吸収性物品。
【請求項５】
前記第１吸収体及び前記第２吸収体のうちの少なくともいずれか一方において、トウからなる繊維集合体の構成繊維がセルロースアセテートからなる繊維である、請求項１〜４のうちのいずれか１項に記載の吸収性物品。
【請求項６】
前記第１吸収体は、無荷重での密度が２０ｋｇ／ｍ３以上２００ｋｇ／ｍ３以下である、請求項１〜５のうちのいずれか１項に記載の吸収性物品。
【請求項７】
前記第２吸収体は、無荷重での密度が２ｋｇ／ｍ３以上２０ｋｇ／ｍ３以下である、請求項１〜６のうちのいずれか１項に記載の吸収性物品。
【請求項８】
前記第１吸収体は、幅方向に前記第１吸収体の略全幅にわたる第２のスリットを備える、請求項１〜７のうちのいずれか１項に記載の吸収性物品。
【発明の詳細な説明】
【技術分野】
【０００１】
本開示は、吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。また、吸収体としては、フラッフパルプと高吸収性ポリマー（Ｓｕｐｅｒ  Ａｂｓｏｒｂｅｎｔ  Ｐｏｌｙｍｅｒ；ＳＡＰとも称される）を含有する吸収性コアが、クレープ紙等のキャリアシートで包まれた態様が広く知られている。これらの吸収体は、フラッフパルプ短繊維及び高吸収性ポリマーを積繊ドラム上で積繊し、吸収性コアを作製した後に、キャリアシートに包まれることにより、形成される。
【０００３】
一方で、フラッフパルプ短繊維の積繊体の代わりにフィラメント状の長繊維ウェブで構成されたトウ（繊維束）を開繊したもの（以下、トウからなる繊維集合体と称する）を吸収体に用いることが提案されている。フラッフパルプの代わりにトウからなる繊維集合体を用いることにより、柔軟性及び可撓性に優れる吸収体を得ることができる。また、柔軟性及び可撓性に優れる吸収体を用いることにより、衣服の下に吸収性物品を着用していることを目立たなくすることができ、フィット性も向上する。
【０００４】
トウからなる繊維集合体を含有する吸収体を用いた吸収性物品として、例えば、特許文献１には、トウを開繊したフィラメントの集合体及び高吸収性ポリマー粒子を有するとともに、股間部の両側部における高吸収性ポリマー粒子の坪量が主吸収部分よりも少ないことを特徴とする吸収体を用いた吸収性物品が開示されている。
【０００５】
また、特許文献２には、トウを開繊したフィラメントの集合体及び高吸収性ポリマー粒子を有する吸収体を含み、当該吸収体に対して裏面側に、フィラメントから抜け出た高吸収性ポリマーを保持する保持シートが設けられた吸収性物品が開示されている。
【先行技術文献】
【特許文献】
【０００６】
【特許文献１】特開２００６−３２０４４３号公報
【特許文献２】特開２００８−２９５６４５公報
【発明の概要】
【発明が解決しようとする課題】
【０００７】
しかしながら、吸収性物品を上記の態様で薄型化、軽量化する場合、ある程度の吸収性能を犠牲にしなければならない。特に、吸収体面積の狭い軽失禁製品や尿取りパッドにおいては十分な吸収性能が保たれない。
【０００８】
本開示は、以上の課題に鑑み、薄型、軽量であり、かつ吸収・拡散能力などの吸収性能に優れた吸収性物品を提供することを目的とする。
【課題を解決するための手段】
【０００９】
１つの側面では、一の態様として、液透過性のトップシートと、液不透過性のバックシートと、前記トップシートと前記バックシートの間に吸収層を設けた吸収性物品であって、
前記吸収性物品は、長手方向に沿って前部域、後部域、及び、該前部域と該後部域の間の排尿域である中央部域を含み、
前記吸収層は、厚さ方向で前記トップシート側の第１吸収体と、前記バックシート側の第２吸収体とからなる２層構造を有し、
前記第１吸収体は、平面視で前記中央部域に位置し、トウからなる繊維集合体とその内部に固着担持された高吸収性ポリマーと、を有し、
前記第２吸収体は、平面視で前記前部域から前記後部域に至って位置し、トウからなる繊維集合体とその内部に固着担持された高吸収性ポリマーと、を有し、
前記第１吸収体は、長手方向に前記第１吸収体の略全長にわたる第１のスリットを少なくとも１本備え、
前記第１吸収体は、前記第２吸収体よりも密度が高く、
前記第１吸収体と前記第２吸収体との間であって、第１吸収体と略同一の寸法の親水性不織布からなる液拡散性シートと、を有することを特徴とする、吸収性物品が提供される。
【００１０】
本態様において、好ましくは、前記第１吸収体において、トウからなる繊維集合体の坪量は、２０ｇ／ｍ２以上１００ｇ／ｍ２以下であり、高吸収性ポリマーの坪量は、６０ｇ／ｍ２以上５００ｇ／ｍ２以下であり、前記トウからなる繊維集合体の坪量に対して、０．６倍以上５．０倍以下である。
【００１１】
本態様において、好ましくは、前記第２吸収体において、トウからなる繊維集合体の坪量は、２０ｇ／ｍ２以上１００ｇ／ｍ２以下であり、高吸収性ポリマーの坪量は、６０ｇ／ｍ２以上５００ｇ／ｍ２以下であり、前記トウからなる繊維集合体の坪量に対して、０．６倍以上５．０倍以下である。
【００１２】
本態様において、好ましくは、前記第１吸収体及び前記第２吸収体のうちの少なくともいずれか一方において、高吸収性ポリマーの、トウからなる繊維集合体への担持率は、７０％以上である。
【００１３】
本態様において、好ましくは、前記第１吸収体及び前記第２吸収体のうちの少なくともいずれか一方において、トウからなる繊維集合体の構成繊維がセルロースアセテートからなる繊維である。
【００１４】
本態様において、好ましくは、前記第１吸収体は、無荷重での密度が２０ｋｇ／ｍ３以上２００ｋｇ／ｍ３以下である。
【００１５】
本態様において、好ましくは、前記第２吸収体は、無荷重での密度が２ｋｇ／ｍ３以上２０ｋｇ／ｍ３以下である。
【００１６】
本態様において、好ましくは、前記第１吸収体は、幅方向に前記第１吸収体の略全幅にわたる第２のスリットを備える。
【発明の効果】
【００１７】
１つの側面では、薄型、軽量であり、かつ吸収・拡散能力などの吸収性能に優れた吸収性物品を提供することが可能となる。
【図面の簡単な説明】
【００１８】
【図１】本実施形態に係る吸収性物品をトップシート側から見た平面図である。
【図２】図１のラインＡ−Ａに沿った吸収性物品１の概略的な断面図である。
【図３】図１のラインＢ−Ｂに沿った吸収性物品１の概略的な断面図である。
【図４】高吸収性ポリマーの、トウからなる繊維集合体への担持率を測定する方法を説明するために用いる図面である。
【図５】別の実施形態に係る吸収性物品をトップシート側から見た平面図である。
【図６】更なる別の実施形態に係る吸収性物品をトップシート側から見た平面図である。
【発明を実施するための形態】
【００１９】
以下に、実施形態について詳細に説明するが、これらは例示の目的で掲げたものでこれらにより本発明を限定するものではない。なお、実施形態の説明の全体を通して同じ要素には同じ符号を付している。また、本明細書の説明において、吸収性物品１の着用時とは、吸収性物品１の着用時及び着用後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、肌当接面とは、吸収体等の各部材の表裏両面のうち、着用時に着用者の肌側に配される面であり、非肌当接面とは、吸収体等の各部材の表裏両面のうち、着用時に着用者の肌側とは反対側に向けられる面である。体液とは、尿や血液、軟便中の水分等の体内から体外に排出された液体をいう。さらに、吸収性物品１としては、ベビー用又は成人用を問わず、軽失禁パッド、パンツ型紙おむつ、テープ止め紙おむつが例示されるが、これに限定されるものではなく、その他の吸収性物品であってもよい。
【００２０】
［吸収性物品］
図１は、本実施形態に係る吸収性物品１をトップシート２０側から見た平面図である。図２は、図１のラインＡ−Ａに沿った吸収性物品１の概略的な断面図である。図３は、図１のラインＢ−Ｂに沿った吸収性物品１の概略的な断面図である。図２及び図３は、層構造の説明図であり、各部が非常に概略的に示されている。
【００２１】
図１に示すように、吸収性物品１は、肌当接面側に配された液透過性のトップシート２０と、トップシート２０に対向して非肌当接面側に配置された液不透過性のバックシート２１（図１では見えず、図２参照）と、トップシート２０とバックシート２１との間に配置された吸収体３０（図１では、点線で概略的に図示）と、液拡散性シート４０（図１では見えず、図２参照）とを備える。吸収体３０は、トップシート２０とバックシート２１の間に挟まれる構造となっており、吸収体３０は、上下で２層（上層吸収体３０１及び下層吸収体３０２）となっており、当該２層間に液拡散性シート４０が設けられる。
【００２２】
また、吸収性物品１には、使用者の排泄した体液の横漏れを防止するため、吸収性物品１の長手方向に沿って、トップシート２０上に、立体ギャザー用弾性部材を有する一対の立体ギャザー８０（図１には図示せず、図２参照）を備えていてもよい。吸収性物品１の幅方向における立体ギャザー８０の外端は、バックシート２１に固定され、その内端はトップシート２０に固着され、その中央はトップシート２０に固定されない自由端となるように、立体ギャザーシートが配される。立体ギャザー用弾性部材を長手方向に沿って設けることで、立体ギャザー８０が起立性を有し、着用者の体型に合わせて変形可能なものとなる。立体ギャザー用弾性部材としては、例えば、ポリウレタン糸、帯状のポリウレタンフィルム、糸状又は帯状の天然ゴム等が使用され、立体ギャザーシートとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００２３】
＜トップシート＞
トップシート２０は、体液が吸収体３０へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２０には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２０には、ローション、酸化防止剤、抗炎症成分、ｐＨ調整剤、抗菌剤、保湿剤等を含有させてもよい。
【００２４】
強度、加工性及び液戻り量の点から、トップシート２０の坪量は、１８ｇ／ｍ２以上４０ｇ／ｍ２以下であることが好ましい。トップシート２０の形状としては特に制限はないが、漏れがないように体液を吸収体３０へと誘導するために必要とされる、吸収体３０を覆う形状であればよい。
【００２５】
＜バックシート＞
バックシート２１は、吸収体３０が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２６】
強度及び加工性の点から、バックシート２１の坪量は、１５ｇ／ｍ２以上４０ｇ／ｍ２以下であることが好ましい。また、装着時の蒸れを防止するため、バックシート２１には、通気性を持たせることが好ましい。バックシート２１に通気性を備えさせるためには、例えば、基材の樹脂フィルムにフィラーを配合したり、バックシート２１にエンボス加工を施したりすればよい。なお、フィラーとしては炭酸カルシウムを挙げることができ、その配合方法は、公知の方法を制限なく行うことができる。
【００２７】
＜吸収体＞
図１に示すように、吸収性物品１において、吸収体３０は、前部域に位置する腹側部３０ａと、排尿域である中央部域に位置する股部３０ｂと、後部域に位置する背側部３０ｃとを有する。また、積層方向では、本実施形態の吸収体３０は、図２に示すように、肌当接面側に位置する上層吸収体３０１と、非肌当接面側に位置する下層吸収体３０２とからなる。
【００２８】
上層吸収体３０１は、吸収性物品１の長手方向（Ｙ方向）では、股部３０ｂにのみ延在する。上層吸収体３０１は、股部３０ｂの全体に延在するが、変形例では、股部３０ｂの一部に延在してもよい。また、上層吸収体３０１は、長手方向の端部が、腹側部３０ａや背側部３０ｃへと少しだけはみ出してもよい。他方、下層吸収体３０２は、吸収性物品１の長手方向（Ｙ方向）では、腹側部３０ａ、股部３０ｂ、及び背側部３０ｃの全てに延在する。
【００２９】
吸収性物品１の、長手方向Ｙの寸法は１００ｍｍ以上６００ｍｍ以下であり、幅方向Ｘの寸法（最大値を示す箇所の寸法）は３０ｍｍ以上２００ｍｍ以下であることが好ましい。
図１に示すように、吸収体３０の長手方向の寸法Ｌ０は、９５ｍｍ以上５０５ｍｍ以下であることが好ましく、９５ｍｍ以上３９５ｍｍ以下であることがより好ましい。
【００３０】
吸収体３０の腹側部３０ａの長手方向の寸法Ｌ１は、２０ｍｍ以上２０５ｍｍ以下であることが好ましく、２０ｍｍ以上１５５ｍｍ以下であることがより好ましい。また、腹側部３０ａにおける吸収体３０の幅方向の最長幅の寸法Ｗ１は、２５ｍｍ以上１８０ｍｍ以下であることが好ましく、２５ｍｍ以上１０５ｍｍ以下であることがより好ましい。
【００３１】
吸収体３０の股部３０ｂの長手方向の寸法Ｌ２は、２０ｍｍ以上３００ｍｍ以下であることが好ましく、２０ｍｍ以上２００ｍｍ以下であることがより好ましい。また、股部３０ｂにおける吸収体３０の幅方向の最長幅の寸法Ｗ２は、２５ｍｍ以上１０５ｍｍ以下であることが好ましい。
【００３２】
吸収体３０の背側部３０ｃの長手方向の寸法Ｌ３は、２０ｍｍ以上２０５ｍｍ以下であることが好ましく、２０ｍｍ以上１５５ｍｍ以下であることがより好ましい。また、背側部３０ｃにおける吸収体３０の幅方向の最長幅の寸法Ｗ３は、２５ｍｍ以上１８０ｍｍ以下であることが好ましく、２５ｍｍ以上１０５ｍｍ以下であることがより好ましい。
【００３３】
なお、上記の吸収体３０の長手方向の各種寸法Ｌ０〜Ｌ３は、下層吸収体３０２に対して当てはまり、寸法Ｌ２は、上層吸収体３０１に当てはまる。また、上記の吸収体３０の幅方向の各種寸法Ｗ１〜Ｗ３は、下層吸収体３０２に対して当てはまり、寸法Ｗ２は、上層吸収体３０１に当てはまる。ただし、変形例では、下層吸収体３０２は、例えば幅方向の寸法が一定であり（Ｙ方向の各位置で同じであり）、例えば上層吸収体３０１の寸法Ｗ２と同じであってよい。
【００３４】
吸収体３０の厚さは、４ｍｍ以上１２ｍｍ以下であることが好ましく、５ｍｍ以上１０ｍｍ以下であることがより好ましい。
【００３５】
上層吸収体３０１及び下層吸収体３０２は、それぞれ、基材としての吸収性繊維と、高吸収性ポリマー（ＳＡＰ）と、を含有する。上層吸収体３０１及び下層吸収体３０２のそれぞれの全体の坪量は、２００ｇ／ｍ２以上５００ｇ／ｍ２以下であることが好ましく、２５０ｇ／ｍ２以上４００ｇ／ｍ２以下であることがより好ましい。
【００３６】
吸収性繊維は、トウからなる繊維集合体である。トウからなる繊維集合体の基材としては、綿等に由来する天然セルロース、レーヨン等の再生セルロース、セルロースアセテート、ポリエチレン、ポリプロピレン、ＰＥＴ等を用いることができ、これらの中でも、綿等に由来する天然セルロース、レーヨン等の再生セルロース、セルロースアセテートを用いることが好ましく、嵩高さを得やすく、上層吸収体３０１及び下層吸収体３０２に柔軟性及び可撓性を付与できる、セルロースアセテートを用いることがより好ましい。
【００３７】
また、トウからなる繊維集合体の繊度は、特に限定されないが、上層吸収体３０１及び下層吸収体３０２が所望の性能を発揮し、使用上十分な強度を有するようにする点から、例えば、０．１ｄｔｅｘ以上１０ｄｔｅｘ以下であればよい。
【００３８】
また、トウからなる繊維集合体において、繊維間の絡みが弱いため、絡みを融着して固定させる目的で、バインダーを用いることが好ましい。バインダーとしては、トリアセチン等を用いることができる。
【００３９】
上層吸収体３０１及び下層吸収体３０２のいずれにおいても、トウからなる繊維集合体の坪量は、２０ｇ／ｍ２以上１００ｇ／ｍ２以下である。トウからなる繊維集合体の坪量が上記の範囲であることにより、吸収性を担保できる程度に高吸収性ポリマーを担持でき、柔軟性及び可撓性に優れる上層吸収体３０１及び下層吸収体３０２を得ることができる。トウからなる繊維集合体の坪量が１００ｇ／ｍ２を超えると、上層吸収体３０１及び下層吸収体３０２の厚みを薄くする際の圧縮の度合いが大きくなり、トウからなる繊維集合体の本来の柔軟性及び可撓性が損なわれるため好ましくない。
【００４０】
高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００４１】
上層吸収体３０１においては、高吸収性ポリマーの坪量は、６０ｇ／ｍ２以上５００ｇ／ｍ２以下であり、高吸収性ポリマーの坪量は、トウからなる繊維集合体の坪量に対して、０．６倍以上５．０倍以下である。これにより、必要な吸収量を確保できるとともに、トウからなる繊維集合体が高吸収性ポリマーを良好に担持することができ、着用時にざらざらとした違和感が生じることによる着用感の低下を避けることができる。トウからなる繊維集合体の坪量に対する、高吸収性ポリマーの坪量が、５．０倍を超えると、トウからなる繊維集合体が高吸収性ポリマーを良好に担持することができなくなる。
【００４２】
また、上層吸収体３０１は、無荷重での密度が２０ｋｇ／ｍ３以上２００ｋｇ／ｍ３以下である。
【００４３】
下層吸収体３０２においては、高吸収性ポリマーの坪量は、６０ｇ／ｍ２以上５００ｇ／ｍ２以下であり、高吸収性ポリマーの坪量は、トウからなる繊維集合体の坪量に対して、０．６倍以上５．０倍以下であることが好ましい。
【００４４】
また、下層吸収体３０２は、無荷重での密度が２ｋｇ／ｍ３以上２０ｋｇ／ｍ３以下である。
【００４５】
本実施形態では、このように、上層吸収体３０１は、下層吸収体３０２よりも密度が高い。上層吸収体３０１は、上述のように、排尿域に配置される。従って、密度の高い上層吸収体３０１によって排尿域の領域の吸収量が高まる。これは、微小な繊維間空隙による毛細管現象により、尿の吸い込む力が強まるためである。この結果、尿漏れの防止や逆戻りの低減に効果が期待できる。
【００４６】
吸収体３０において、吸収性繊維及び高吸収性ポリマーの形態は、吸収性繊維中に高吸収性ポリマー粒子を混合して形成したもの、又は吸収性繊維間に高吸収性ポリマー粒子を固着した高吸収性ポリマーシートであることが好ましい。また、高吸収性ポリマー粒子の漏洩防止や吸収体３０の形状の安定化の目的から、吸収体３０をキャリアシート９０に包んでもよい。この場合、キャリアシート９０は、図２に示すように、吸収体３０全体を包んでもよいし、上層吸収体３０１及び下層吸収体３０２を別々に包んでもよい。キャリアシート９０の基材としては親水性を有するものであればよく、ティシュ、吸収紙、エアレイド不織布等の親水性不織布を挙げることができる。キャリアシート９０を複数備える場合は、キャリアシート９０の基材は同一のものであっても異なるものであってもよい。
【００４７】
ここで、本実施形態においては、高吸収性ポリマーの、トウからなる繊維集合体への担持率は、好ましくは、７０％以上である。この場合、着用時にざらざらとした違和感が生じることによる着用感の低下を避けることができる。以下、高吸収性ポリマーの、トウからなる繊維集合体への担持率の測定方法について、図４を用いて説明する。
【００４８】
（１）まず、上層吸収体３０１及び下層吸収体３０２を作製する前の、トウからなる繊維集合体に高吸収性ポリマーを担持したシート（縦３７０ｍｍ、横１１０ｍｍ）と試験後に脱落する高吸収性ポリマーを回収する容器を用意する。
【００４９】
（２）当該シートの縦方向の他方端部が下になるように、縦方向の一方端部の横方向両端部（図４における符号ａ）を把持する。このとき、当該シートの縦方向の他方端部が、上記容器の底面から約３０ｃｍの位置となるように調整する。
【００５０】
（３）その後、下方向（図４におけるｂの矢印の方向）に約５ｃｍ変位させ、元の位置に戻す、という振るい操作を連続的に往復２０回行う。
【００５１】
（４）容器に脱落した高吸収性ポリマーの重量を測定し、{（振るい前の上記シートに担持させた高吸収性ポリマーの重量−脱落した高吸収性ポリマーの重量）／振るい前の上記シートに担持させた高吸収性ポリマーの重量}×１００の式で算出される数値を、高吸収性ポリマーの、トウからなる繊維集合体への担持率（％）とする。
【００５２】
（スリット）
図１及び図２に示すように、本実施形態の吸収性物品１は、吸収体３０の上層吸収体３０１に、スリット３１（第１のスリットの一例）を備える。これにより、体液がスリット３１を通ることができるので、スリット３１がない場合に比べて体液の拡散速度を高めることができる。この結果、吸収速度に優れた吸収性物品１とすることができる。なお、本実施形態では、スリット３１は、図１に示すように、幅方向の中央部に一本だけ設けられる。ただし、別の実施形態では、図５に示す吸収性物品１Ａのように、スリット３１は、吸収体３０の幅方向略中央部に二本設けられてもよい。この場合、対のスリット３１は、吸収体３０の幅方向の中心を通るＹ方向の直線に関して対称に形成される。あるいは、更なる別の実施形態では、図６に示す吸収性物品１Ｂのように、スリット３１Ａ（第２のスリットの一例）は、吸収体３０の幅方向の略全幅にわたり形成されてもよい。スリット３１Ａは、上述したスリット３１と組み合わせて実現されてもよい。この場合、スリット３１及びスリット３１Ａは、全体として、平面視で十字状の形態となる。
【００５３】
なお、スリット３１は、吸収性繊維及び高吸収性ポリマーを含まず、吸収体３０の厚さ方向において上層吸収体３０１を貫通している。
【００５４】
スリット３１は、吸収体３０の上層吸収体３０１にのみ形成され、下層吸収体３０２に形成されないことから、吸収体３０の股部３０ｂのみに延在する。スリット３１は、長手方向の寸法Ｌは、寸法Ｌ２と同じであるが、別の実施形態では、寸法Ｌ２よりもわずかに小さくてもよい。すなわち、スリット３１は、上層吸収体３０１の略全長にわたり延在すればよい。
【００５５】
なお、スリット３１が上層吸収体３０１の全長にわたり延在する構成は、実質的に、上層吸収体３０１が幅方向で２分割されている構成となる。
【００５６】
スリット３１は、間隔Ｗ１１が１ｍｍ以上３０ｍｍ以下であることが好ましく、３ｍｍ以上１０ｍｍ以下であることがより好ましい。これにより、スリット３１の機能を安定的に維持できる。具体的には、周囲の吸収体繊維がスリット３１に移動してスリット３１自体が埋められないようにするためには、スリット３１にはある程度の幅が必要である。この点、上記のような数値範囲に設定することで、周囲の吸収体繊維がスリット３１を埋めることが抑制され、スリット３１の機能を安定的に維持できる。
【００５７】
（液拡散性シート）
本実施形態に係る吸収性物品１は、下層吸収体３０２の上面への体液の拡散を促進するため、上層吸収体３０１と下層吸収体３０２との間に、液拡散性シート４０が設けられる。液拡散性シート４０としては、例えば、エアスルー不織布、ポイントボンド不織布、スパンボンド不織布、メルトブローン不織布等の不織布や、スパンボンド／メルトブローン、スパンボンド／メルトブローン／スパンボンドを積層した複合不織布を挙げることができる。
【００５８】
液拡散性シート４０の坪量は、１５ｇ／ｍ２以上４０ｇ／ｍ２以下であることが好ましい。液拡散性シート４０の形状は、上層吸収体３０１と完全に重なる形状であることが好ましい。すなわち、液拡散性シート４０は、上層吸収体３０１と略同じ寸法を有する。
【符号の説明】
【００５９】
１      吸収性物品
２０    トップシート
２１    バックシート
３０    吸収体
３０１  上層吸収体
３０２  下層吸収体
３１    スリット
４０    液拡散性シート
【図１】
2020120710.tif 000003
【図２】
2020120710.tif 000004
【図３】
2020120710.tif 000005
【図４】
2020120710.tif 000006
【図５】
2020120710.tif 000007
【図６】
2020120710.tif 000008